(57)【特許請求の範囲】
【請求項１】
容器本体の口筒部に取着され、開栓あるいは未開栓状態が確認可能なピルファープルーフ機構を有する合成樹脂製のキャップにおいて、
容器本体の口筒部にネックリングを形成し、
キャップは、キャップ本体と、キャップ本体の下部に装着されるリング体とを具え、
キャップ本体は、頂壁と、容器本体の口筒部に螺合する上部外筒壁と、上部外筒壁外周下端に連設される環状の上壁と、上壁外縁に垂設される下部外筒壁と、上壁下面に配設される内筒壁とを具え、
下部外筒壁の内周に、接着リブがローレット状に複数配設され、
リング体は、リング基部と、リング基部の上面に複数立設された起立壁部と、リング基部の内周上部に複数配設され、上端部が内周上方に向かって傾斜して起立する弾性掛止片とを具え、
リング基部の上面には、接着突部が複数配設され、
リング体の起立壁部外周面とキャップ本体の下部外筒壁の接着リブ内周面とを当接させ、キャップ本体の下部外筒壁の接着リブ内周面と、リング体の起立壁部外周面、およびキャップ本体の下部外筒壁下面と、リング体の接着突部の頂部とが超音波接着により所定の力で外れる程度に接着することによって、キャップ本体の下部にリング体が装着され、キャップ本体とリング体との接着が外れた直後では、リング体の起立壁部の内周が当接するだけの長さを具えていることを特徴とするキャップ。
【請求項２】
容器の最初の開栓時に、キャップが回転しながら容器本体に対して上昇することにより、リング体の弾性掛止片が容器本体のネックリングに係合し、リング体の上昇を阻止し、キャップ本体の接着リブとリング体の起立壁部、およびキャップ本体の下部外筒壁とリング体の接着突部の接着をそれぞれ外していくことを特徴とする請求項１記載のキャップ。
【請求項３】
リング基部の周壁の一部に切断可能な弱化部を残して切込まれた破断部が設けられ、
弱化部を切断し、リング基部が破断部で切断されることを特徴とする請求項１または２に記載のキャップ。
【請求項４】
容器の最初の開栓時に、リング体の起立壁部の外周面とキャップ本体の接着リブの内周面との接着が外れ、起立壁部の内周面上端がキャップ本体の内筒壁の外周面に当接することを特徴とする請求項１〜３のいずれかに記載のキャップ。
【請求項５】
キャップ本体とリング体が別色で形成されていることを特徴とする請求項１〜４のいずれかに記載キャップ。
【発明の詳細な説明】
【技術分野】
【０００１】
本発明は、キャップ、とくに容器本体の口筒部に螺着し、開栓した際に、キャップの一部を容器本体の口筒部に残すようにしたピルファープルーフ機構を有するキャップに関するものである。
【背景技術】
【０００２】
キャップをキャップ本体とキャップ本体の下部内周に装着されるリング体とから形成し、キャップを容器本体の口筒部に螺着させて閉栓し、キャップを開栓する際に、リング体の内周に突設した弾性掛止片の上端が、容器本体の口筒部のネックリングの下方部に係合し、リング体のみを容器本体の口筒部に残し、再度閉栓した際には、容器外からリング体を視認することで不正開栓を防止するピルファープルーフ機構を有するキャップは、従来より知られている（例えば、特許文献１参照）。
【特許文献１】特許第２５９７３５９号公報
【発明の開示】
【発明が解決しようとする課題】
【０００３】
しかしながら、上記特許文献１記載のキャップは、キャップを開栓する際に、リング体の弾性掛止片（係止片７）の上端が、容器本体の口筒部のネックリング（突条４）下面に当接し、その応力で、キャップ本体内からリング体が外れる前に、リング体が内方に倒れ込むように変形してしまうことがあった。
【０００４】
リング体が変形することで、弾性掛止片（係止片７）の上端部が下方に向いて、ネックリング（突条４）との係合が外れ、キャップ本体内にリング体を残したまま、容器本体からキャップを開栓することがあった。
このため、このキャップを再度閉栓した際に、容器外からリング体を視認することができず、不正開栓を防止することができないということがあった。
【０００５】
また、近年では、リサイクルのためにゴミを分別して廃棄するようにしているので、容器本体の口筒部からリング体を外さなくてはならず、そのため、リング体をハサミなどで切断したりする手間がかかるということがあった。
【０００６】
本発明は、上記問題を解決することを課題とし、キャップ本体とリング体とを一部接着してキャップとし、キャップを開栓する際に、キャップ本体内からリング体が外れる前に、リング体自体がキャップ本体に対して内方に倒れ込むように変形することを防止し、確実にリング体が容器本体の口筒部に残され、再度閉栓した際に、容器外から視認することによって、不正開栓を防止することができるとともに、開栓後に、必要に応じてリング体を簡単に容器本体から外すことができるピルファープルーフ機構を有するキャップを提供することを目的とする。
【課題を解決するための手段】
【０００７】
本発明は、上記の課題を解決するため、キャップとして、容器本体の口筒部に取着され、開栓あるいは未開栓状態が確認可能なピルファープルーフ機構を有する合成樹脂製のキャップにおいて、容器本体の口筒部にネックリングを形成し、キャップは、キャップ本体と、キャップ本体の下部に装着されるリング体とを具え、キャップ本体は、頂壁と、容器本体の口筒部に螺合する上部外筒壁と、上部外筒壁外周下端に連設される環状の上壁と、上壁外縁に垂設される下部外筒壁と、上壁下面に配設される内筒壁とを具え、下部外筒壁の内周に、接着リブがローレット状に複数配設され、リング体は、リング基部と、リング基部の上面に複数立設された起立壁部と、リング基部の内周上部に複数配設され、上端部が内周上方に向かって傾斜して起立する弾性掛止片とを具え、リング基部の上面には、接着突部が複数配設され、リング体の起立壁部外周面とキャップ本体の下部外筒壁の接着リブ内周面とを当接させ、キャップ本体の下部外筒壁の接着リブ内周面と、リング体の起立壁部外周面、およびキャップ本体の下部外筒壁下面と、リング体の接着突部の頂部とが超音波接着により所定の力で外れる程度に接着することによって、キャップ本体の下部にリング体が装着され、キャップ本体とリング体との接着が外れた直後では、リング体の起立壁部の内周が当接するだけの長さを具えていることを特徴とする構成を採用する。
【０００８】
キャップの実施例として、
容器の最初の開栓時に、キャップが回転しながら容器本体に対して上昇することにより、リング体の弾性掛止片が容器本体のネックリングに係合し、リング体の上昇を阻止し、キャップ本体の接着リブとリング体の起立壁部、およびキャップ本体の下部外筒壁とリング体の接着突部の接着をそれぞれ外していくことを特徴とする構成を採用し、さらに、リング体の実施例として、リング基部の周壁の一部に切断可能な弱化部を残して切込まれた破断部が設けられ、弱化部を切断し、リング基部が破断部で切断されることを特徴とする構成を採用する。
【０００９】
キャップ本体の実施例として、容器の最初の開栓時に、リング体の起立壁部の外周面とキャップ本体の接着リブの内周面との接着が外れ、起立壁部の内周面上端がキャップ本体の内筒壁の外周面に当接することを特徴とする構成を採用する。
【００１０】
キャップの別実施例として、キャップ本体とリング体が別色で形成されていることを特徴とする構成を採用する。
【発明の効果】
【００１１】
容器本体の口筒部に螺着させ、開栓あるいは未開栓状態が確認可能なピルファープルーフ機構を有する合成樹脂製のキャップにおいて、キャップ本体の下部外筒壁の内周に接着リブをローレット状に複数配設し、リング体の起立壁部外周面に接着させて、リング体に接着突部を複数配設し、キャップ本体の下部外筒壁の下面に接着させることで、キャップ本体の下部にリング体を装着させ、容器本体の口筒部に螺着することで、キャップを開栓する際に、キャップ本体からリング体が外れる前に、リング体自体がキャップ本体に対して内方に倒れ込むように変形することを防止し、確実にリング体を容器本体の口筒部に残すことができるようになった。
【００１２】
また、キャップを開栓する際に、リング体の起立壁部の外周面とキャップ本体の接着リブの内周面との接着が先に全て外れても、起立壁部の内周面上端がキャップ本体の内筒壁の外周面に当接することで、リング体自体がキャップ本体に対して内方に倒れ込むように変形することを防止することができる。
【００１３】
また、キャップの装着時、またはキャップの開栓時には、リング体は、リング基部の弱化部が切断され、リング基部が破断部で切断された状態で容器本体の口筒部に残されているため、必要に応じてリング体を簡単に容器本体から外すことができる。
【発明を実施するための最良の形態】
【００１４】
次に、本発明のキャップの実施形態について、図面を参照して説明する。
図１において、Ａは内容液を収納した容器本体、Ｂはキャップである。
容器本体Ａは、口筒部１と肩部２，胴部と底部とからなり、口筒部１の外周にはねじ３が螺設され、その下方には、ネックリング４が突設されている。
【００１５】
キャップＢは、合成樹脂により成形され、キャップ本体Ｂ１と、キャップ本体Ｂ１の底部に装着されるリング体Ｂ２とからなっており、容器の最初の閉栓時に、容器本体Ａの口筒部１に装着されるようになっている。
【００１６】
キャップ本体Ｂ１は、図１、２に示すように、頂壁５と、頂壁５外縁に垂設される上部外筒壁６と、上部外筒壁６外周下端に連設される環状の上壁７と、上壁７外縁に垂設される下部外筒壁８とを具えており、上壁７下面には、内筒壁９が配設されている。
上部外筒壁６の内周面には、口筒部１のねじ３に螺合するねじ１０が螺設されている。
頂壁５の下面には、容器本体Ａの口筒部１上面に係合し、容器内を密閉するパッキンＰが装着されている。
【００１７】
下部外筒壁８の内周上部には、リング体Ｂ２に内周面が当接し、超音波接着される接着リブ１１がローレット状に複数配設されている。
【００１８】
リング体Ｂ２は、図１、３に示すように、リング基部１５と、リング基部１５の上面内縁に複数立設され、外周がキャップ本体Ｂ１の下部外筒壁８内周と内筒壁９外周との間に挿入され、係合する起立壁部１６と、リング基部１５の内周上部に複数配設され、上端部が内周上方に向かって傾斜して起立する弾性掛止片１７とからなっている。
【００１９】
リング基部１５には、周壁の一部に切断可能な弱化部１８を残して切込まれた破断部１９が設けられている。
弱化部の位置は、実施例では破断面の上端部と下端部に設けているが、中間部にあってもよく、とくに限定されない。
リング基部１５の上面には、キャップ本体Ｂ１の下部外周壁８の下面に頂部が当接し、接着される接着突部２０が複数配設され、超音波接着されるようになっている。
【００２０】
次に、本発明のキャップの使用態様と作用効果について説明する。
まず始めに、キャップ本体Ｂ１の下部外筒壁８内周と内筒壁９外周との間に、リング体Ｂ２の起立壁部１６を挿入し、キャップ本体Ｂ１とリング体Ｂ２とを係合させるとキャップＢが形成される。
その際、キャップ本体Ｂ１の下部外筒壁８内周に設けられた接着リブ１１内周面とリング体Ｂ２の起立壁部１６外周面とを当接させ、また、下部外筒壁８下面とリング体Ｂ２のリング基部１５上面に設けられた接着突部２０とを当接させ、それぞれの当接部を超音波接着により接着させて、キャップ本体Ｂ１の下部にリング体Ｂ２を装着したキャップＢとなる。
【００２１】
次に、内容物を充填した容器本体Ａの口筒部１のねじ３と、キャップＢのキャップ本体Ｂ１の上部外筒壁６内周のねじ１０を螺合させると、キャップＢにより容器本体Ａを閉栓した本発明の容器となる。
【００２２】
その際、キャップＢと容器本体Ａの口筒部１との螺合が進むにつれて、容器本体Ａの口筒部１のネックリング４の上方部が、キャップＢのリング体Ｂ２内周の弾性掛止片１７の下方の傾斜に当接し、押圧し、弾性掛止片１７の上端部を外方に湾曲させるように変形させながら進む。
最後は、図１に示すように、弾性掛止片１７上端部とネックリング４上方部との当接が終了し、弾性掛止片１７の復元力により弾性掛止片１７上端部がネックリング４の下方部と当接し、係合する。
【００２３】
キャップＢは、本発明の容器の最初の閉栓時に、キャップ本体Ｂ１の螺合と、リング体Ｂ２の弾性掛止片１７との係合により、容器本体Ａの口筒部１に装着される。    
【００２４】
本発明の容器の使用にあたっては、キャップＢを把持し、容器本体Ａに対して開栓方向に回転させ、開栓する。
その際、容器本体Ａとキャップ本体Ｂ１との螺合により、キャップＢは、容器本体Ａに対して回転しながら上昇していく。
【００２５】
キャップＢが容器本体Ａに対して回転しながら上昇すると、リング体Ｂ２もキャップ本体Ｂ１とともに回転し、上昇しようとするが、リング体Ｂ２の弾性掛止片１７の上端部が、容器本体Ａのネックリング４の下方部に係合しているので、リング体Ｂ２の上昇の抵抗力となる。
さらに、リング体Ｂ２の弾性掛止片１７上端部と容器本体Ａのネックリング４の下方部との係合が強くなり、リング体Ｂ２の回転の抵抗力ともなる。
【００２６】
キャップ本体Ｂ１の回転および上昇に対して、リング体Ｂ２の抵抗力が働くため、キャップ本体Ｂ１の回転および上昇が進んでいくと、キャップ本体Ｂ１の接着リブ１１内周面とリング体Ｂ２の起立壁部１６外周面との接着、および、下部外筒壁８下面とリング体Ｂ２の接着突部２０との接着がそれぞれの場所で外されていくこととなる。
【００２７】
また、リング体Ｂ２の回転が弾性掛止片１７により阻害されながら、キャップ本体Ｂ１とリング体Ｂ２との接着部がそれぞれ外されていくことにより、リング体Ｂ２のリング基部１５自体が変形し、リング基部１５の破断部１９の弱化部１８が切断される。
なお、弱化部１８の切断は、キャップの装着時であってもよく、最初の開栓時までに切断されておればよい。
【００２８】
最後は、キャップ本体Ｂ１とリング体Ｂ２との接着が全て外され、図４に示すように、キャップ本体Ｂ１が容器本体Ａの口筒部１から外されるとともに、リング体Ｂ２が、リング基部１５の破断部１９で切り離された状態で容器本体Ａの口筒部１のネックリング４より下部に引っ掛かって残ることになる。
【００２９】
本願の容器を再度閉栓するときには、キャップ本体Ｂ１を容器本体Ａの口筒部１に螺合させることで閉栓することができる。
再度閉栓した際には、リング体Ｂ２が容器本体Ａの口筒部１のネックリング４の下方に落ちていることとともに、リング体Ｂ自体が破断部１９で切断されているので、目視により開封されたものと容易に確認でき、不正開栓を防止することができる。
【００３０】
本発明のキャップは、キャップ本体Ｂ１の下部外筒壁８内周に設けられた接着リブ１１内周面とリング体Ｂ２の起立壁部１６外周面とを接着させ、また、下部外筒壁８下面とリング体Ｂ２のリング基部１５上面に設けられた接着突部２０とを接着させているので、キャップ本体を最初の開栓のために回転させた際に、キャップ本体Ｂ１に対してリング体Ｂ２が倒れ込むように変形して、弾性掛止片１７の上端部を下方に向け、リング体Ｂ２が外れないでキャップ本体Ｂとともに開栓することを防止している。
【００３１】
また、キャップ本体Ｂ１の下部外筒壁８内周に設けられた接着リブ１１内周面とリング体Ｂ２の起立壁部１６外周面との接着が先に全て外れて、キャップ本体Ｂ１に対してリング体Ｂ２が倒れ込むように変形しようとしても、図５に示すように、リング体Ｂ２の起立壁部１６の内周上端がキャップ本体Ｂ１の内筒壁９外周に当接し、リング体Ｂ２の倒れ込みを防止しているため、キャップ本体Ｂ１からリング体Ｂ２を完全に外すことができる。
【００３２】
リング体Ｂ２自体が破断部１９で切断されているので、容器使用に邪魔であったり、容器の廃棄時の分別の際には、リング体Ｂを引張ると、容器本体Ａから簡単に外すことができる。
【００３３】
本発明のキャップとして、キャップ本体とリング体とを別色で形成してもよい。
このことにより、キャップを最初の開栓後に、再度閉栓した際に、リング体とキャップ本体が別色であるため、装着が外れて離れていることを、より確実に目視により確認することができる。
さらに、キャップを容器本体の口筒部に装着した時にも、容器の外部からリング体の状態をはっきり視認することができる。
【００３４】
また、内容物が、キャップの構成素材の着色料等と反応して不具合を起こす可能性を有する薬品である場合、キャップ本体を、ＰＰなどの原色の合成樹脂で形成することで、不具合を防止することができる。
その際、リング体も、原色の合成樹脂で形成することでもよいが、リング体自体が内容物に触れることはないので、リング体のみを着色して形成してもよい。
【産業上の利用可能性】
【００３５】
本発明のキャップは、キャップを開栓方向に回転させると、キャップ本体からリング体を確実に離して容器本体に残し、再度閉栓した際に、リング体を視認することができるので、容器が開栓したことを確実に知ることができる。
したがって、本発明のキャップは、飲食料、薬品、その他の容器のキャップとして、広く利用することができる。
【図面の簡単な説明】
【００３６】
【図１】本発明の容器の一部断面立面図である。
【図２】キャップ本体の一部断面立面図である。
【図３】リング体の説明図で、（ａ）は上面図、（ｂ）は一部断面立面図である。
【図４】容器のキャップ開栓後の説明図である。
【図５】容器の開栓時の要部拡大図である。
【符号の説明】
【００３７】
Ａ            容器本体
Ｂ            キャップ
Ｂ１          キャップ本体
Ｂ２          リング体
Ｐ            パッキン
１            口筒部
２            肩部
３、１０      ねじ
４            ネックリング
５            頂壁
６            上部外筒壁
７            上壁
８            下部外筒壁
９            内筒壁
１１          接着リブ
１５          リング基部
１６          起立壁部
１７          弾性掛止片
１８          弱化部
１９          破断部
２０          接着突部
【図１】
0004795104.tif 000002
【図２】
0004795104.tif 000003
【図３】
0004795104.tif 000004
【図４】
0004795104.tif 000005
【図５】
0004795104.tif 000006